(57)【要約】【課題】シースの肉厚が薄いケーブルに対しても芯線を損傷する恐れがなく、低コストにて製造可能なケーブルシース固定用スペーサ及びケーブル固定具を提供する。【解決手段】ボルト本体２１ａの軸方向一端の把持部２１ｂから突設された針状部２１ｃと、鬼目ボルト２１の締め付けにより固定されるケーブルＣのケーブルシースと、の間に配置されるスペーサであって、全体がプラスチックにより形成され、かつ、ボルト本体２１ａ用のボルト挿入孔１１ａを有する基片１１と、その両端部から折り曲げて形成された側片１２，１３と、を備えると共に、側片１２，１３が基片１１から離れる方向の復元力を保有しており、ボルト挿入孔１１ａにボルト本体２１ａが挿入された鬼目ボルト２１の締め付けにより、針状部２１ｃの先端とケーブルシースの外周面との間に側片１２，１３が圧接されるようにした。【選択図】図１
2019004123.tif 000002
【特許請求の範囲】
【請求項１】
鬼目ボルトを構成するボルト本体の軸方向一端部の把持部から突設された針状部と、前記鬼目ボルトの締め付けにより固定されるケーブルのケーブルシースと、の間に配置されるケーブルシース固定用スペーサであって、
全体がプラスチックにより形成され、かつ、前記ボルト本体が挿入されるボルト挿入孔を有する基片と、前記基片の両端部から折り曲げて形成された一対の側片と、を備えると共に、前記側片が前記基片から離れる方向の復元力を保有しており、
前記ボルト挿入孔に前記ボルト本体が挿入された前記鬼目ボルトの締め付けにより、前記針状部の先端と前記ケーブルシースの外周面との間に前記側片が圧接されることを特徴とするケーブルシース固定用スペーサ。
【請求項２】
請求項１に記載したケーブルシース固定用スペーサにおいて、
前記側片に切欠きを形成したことを特徴とするケーブルシース固定用スペーサ。
【請求項３】
請求項１または２に記載したケーブルシース固定用スペーサにおいて、
前記ケーブルが光ケーブルであることを特徴とするケーブルシース固定用スペーサ。
【請求項４】
前記ケーブルが導入されるクロージャの内部の固定金具に、一対の前記鬼目ボルトが前記針状部同士を対向させてそれぞれ配置され、一対の前記鬼目ボルトに、請求項１〜３の何れか１項に記載のケーブルシース固定用スペーサをそれぞれ装着したことを特徴とするケーブル固定具。
【発明の詳細な説明】
【技術分野】
【０００１】
本発明は、クロージャ用のケーブル固定具に使用され、肉厚の薄いケーブルシースを有するケーブルの固定時における芯線の損傷を防止するようにしたケーブルシース固定用スペーサ、及び、このスペーサを含むケーブル固定具に関する。詳しくは、例えば、クロージャの内部に導入された光ケーブルの固定に最適なケーブルシース固定用スペーサ及びケーブル固定具に関するものである。
【背景技術】
【０００２】
光ケーブル用クロージャにおける光ケーブル固定具としては、例えば、特許文献１に記載されたものが知られている。
図４（ａ）〜図４（ｄ）は、特許文献１に記載された光ケーブル固定具の使用状態を示している。
【０００３】
図４（ａ）において、Ｕ字型部材４０ａには、ボルト本体４１ａ及び把持部４１ｂを有する把持ボルト（鬼目ボルト）４１が取り付けられている。また、コ字型のフレーム４０ｂの内面には、把持部４１ｂに対向するように把持部４２が取り付けられている。
なお、Ｃは固定対象の光ケーブルを示している。
【０００４】
光ケーブルＣを固定する手順としては、まず、図４（ｂ），（ｃ）に示すように、フレーム４０ｂの把持部４２により光ケーブルＣを抑え付け、Ｕ字型部材４０ａのスリット４０ｃにストッパー４３を挿入して把持部４２を係止させる。
次に、図４（ｄ）に示すように、把持ボルト４１を光ケーブルＣ方向にねじ込み、その把持部４１ｂと前記把持部４２とによって光ケーブルＣの外周面を上下から把持する。
この従来技術によれば、Ｕ字型部材４０ａの内部空間において光ケーブルＣを強固に固定することが可能である。
【０００５】
ところで、光ケーブルＣのケーブルシースの厚さは様々であり、例えば、一般ケーブルでは１．５［ｍｍ］，１．８［ｍｍ］、難燃ケーブルでは２．０［ｍｍ］となっている。
しかし、図４に示した方法で光ケーブルＣを固定すると、把持部４１ｂ，４２の針状の先端部がケーブルシースに食い込むため、ケーブルシースの肉厚が薄い場合には、針状の先端部がケーブルシースを突き破って内部の芯線を傷付ける恐れがある。
【０００６】
なお、前述した針状の先端部を有する把持部４１ｂ，４２を用いないケーブル固定具としては、特許文献２に記載されたものが知られている。
図５は、特許文献２に記載されたケーブル固定具用の把持スペーサ３０を示しており、（ａ）は平面図、（ｂ）は分解平面図、（ｃ）は斜視図である。
【０００７】
この把持スペーサ３０においては、外径が異なる複数種類のケーブルに適合するように、異なる半径のケーブル圧接面３０ａ１，３０ｂ１，３０ｃ１を有するスペーサ３０ａ，３０ｂ，３０ｃを加除可能に構成されている。
ケーブルを固定する際には、ケーブルの外径に応じて構成した一対の把持スペーサ３０をクロージャ（図示せず）の内部に固定し、それぞれのケーブル圧接面によりケーブルの外周面を両側から圧接するものである。
【先行技術文献】
【特許文献】
【０００８】
【特許文献１】特開２００８−９６６６７号公報（段落［００２５］，［００２６］、図６等）
【特許文献２】特許第３９１４３０９号公報（段落［０００６］〜［００１３］、図３等）
【発明の概要】
【発明が解決しようとする課題】
【０００９】
図５に示した把持スペーサ３０を使用すれば、ケーブルシースや内部の芯線を損傷せずにケーブルを固定することが可能である。
しかしながら、この従来技術では、ケーブルの外径に応じて複数のスペーサ３０ａ，３０ｂ，３０ｃを用意する必要があり、部品数が増加してコスト高になるという問題があった。
【００１０】
そこで、本発明の解決課題は、ケーブルシースの肉厚が薄いケーブルに対しても内部の芯線を損傷する恐れがなく、また、低コストにて製造可能なケーブルシース固定用スペーサ、及び、このスペーサを用いたケーブル固定具を提供することにある。
【課題を解決するための手段】
【００１１】
上記課題を解決するため、請求項１に係るケーブルシース固定用スペーサは、鬼目ボルトを構成するボルト本体の軸方向一端の把持部から突設された針状部と、前記鬼目ボルトの締め付けにより固定されるケーブルのケーブルシースと、の間に配置されるケーブルシース固定用スペーサであって、
全体がプラスチックにより形成され、かつ、前記ボルト本体が挿入されるボルト挿入孔を有する基片と、前記基片の両端部から折り曲げて形成された一対の側片と、を備えると共に、前記側片が前記基片から離れる方向の復元力を保有しており、
前記ボルト挿入孔に前記ボルト本体が挿入された前記鬼目ボルトの締め付けにより、前記針状部の先端と前記ケーブルシースの外周面との間に前記側片が圧接されることを特徴とする。
【００１２】
請求項２に係るケーブルシース固定用スペーサは、請求項１に記載したケーブルシース固定用スペーサにおいて、前記側片に切欠きを形成したことを特徴とする。
【００１３】
請求項３に係るケーブルシース固定用スペーサは、請求項１または２に記載したケーブルシース固定用スペーサにおいて、前記ケーブルが光ケーブルであることを特徴とする
【００１４】
請求項４に係るケーブル固定具は、前記ケーブルが導入されるクロージャの内部の固定金具に、一対の前記鬼目ボルトが前記針状部同士を対向させてそれぞれ配置され、一対の前記鬼目ボルトに、請求項１〜３の何れか１項に記載のケーブルシース固定用スペーサをそれぞれ装着したことを特徴とする。
【発明の効果】
【００１５】
本発明に係るケーブルシース固定用スペーサ及びケーブル固定具によれば、ケーブルシースの肉厚が薄いケーブルを固定する場合でも内部の芯線を損傷することがない。また、ケーブルシース固定用スペーサはプラスチック製のシート部材を加工して簡単に製造可能であるから、低コストにて提供することができる。
【図面の簡単な説明】
【００１６】
【図１】本発明の実施形態に係るケーブルシース固定用スペーサの斜視図である。
【図２】本発明の実施形態に係るケーブル固定具の側面図である。
【図３】本発明の実施形態に係るケーブル固定具の斜視図である。
【図４】特許文献１に記載された光ケーブル固定具の使用状態を示す図である。
【図５】特許文献２に記載されたケーブル固定具における把持スペーサの説明図である。
【発明を実施するための形態】
【００１７】
以下、図に沿って本発明の実施形態を説明する。
まず、図１は本発明の実施形態に係るケーブルシース固定用スペーサ（以下、単にスペーサともいう）１０の斜視図である。
【００１８】
図１において、スペーサ１０は、透明または乳白色のＰＥＴ（ポリエチレンテレフタレート）等のプラスチック製のシート部材を加工して製造される。ほぼ長方形の基片１１の中央部には、後述する鬼目ボルト２１，３１のボルト本体２１ａ，３１ａを挿入するためのボルト挿入孔１１ａが形成され、その周囲には複数の通孔１１ｂ，１１ｃが形成されている。
【００１９】
基片１１の左右の短辺には、折り曲げ加工により側片１２，１３が連設され、これらの側片１２，１３には切欠き１２ａ，１３ａが形成されている。
側片１２，１３は、矢印ａで示すように内側及び外側へ折り曲げ可能であり、その材質や肉厚を適宜、選定することによって矢印ｂ方向に向かう復元力（弾発力）が保有されている。
【００２０】
図２はスペーサ１０の使用状態を示すケーブル固定具の側面図、図３は同じく斜視図である。この図２は、クロージャの内部に引き込まれた光ケーブルＣを固定する場合の説明図である。
なお、ケーブル固定具の形状、構造は図示例に何ら限定されず、クロージャの構造等に応じて適宜、変更することができる。
【００２１】
スペーサ１０を使用する際には、まず、鬼目ボルト２１，３１のボルト本体２１ａ，３１ａを一対のスペーサ１０のボルト挿入孔１１ａにそれぞれ挿入し、ボルト本体２１ａ，３１ａの軸方向一端に形成された把持部２１ｂ，３１ｂ（針状部２１ｃ，３１ｃ）同士が対向するように、鬼目ボルト２１，３１を固定金具２０の上顎部２０ａと下顎部２０ｂとにそれぞれねじ込む。ここで、固定金具２０は、クロージャ（図示せず）の内部に設置されている。
【００２２】
なお、スペーサ１０の基片１１には複数の通孔１１ｂ，１１ｃが形成されているため、基片１１の変形を容易にして鬼目ボルト２１，３１の把持部２１ｂ，３１ｂとの密着性を高めることができる。
【００２３】
次に、側片１２，１３を内側に折り曲げた状態で、固定するべき光ケーブルＣを把持部２１ｂ，３１ｂの間に位置決めし、その後、鬼目ボルト２１，３１を、光ケーブルＣを挟むように締め付ける。
これにより、スペーサ１０の側片１２，１３は、把持部２１ｂ，３１ｂに設けられた大部分の針状部２１ｃ，３１ｃにより内面が圧接され、側片１２，１３の外面が光ケーブルＣの外周面（ケーブルシースの外周面）に密着し、圧接される。
【００２４】
ここで、スペーサ１０の側片１２，１３は、図１に矢印ｂで示した方向に復元力を保有している。
よって、鬼目ボルト２１，３１の締め付け時には針状部２１ｃ，３１ｃがケーブルシースに食い込む力をある程度抑制しながら、側片１２，１３の外面全体でケーブルシースの外周面を圧接することができる。
【００２５】
また、側片１２，１３に形成された切欠き１２ａ，１３ａの作用により、側片１２，１３は容易に変形可能である。よって、側片１２，１３を適宜変形させてケーブルシースの外周面に密着させることができ、鬼目ボルト２１，３１の締め付け力と相まって光ケーブルＣを確実、強固に固定することができる。
【００２６】
なお、ケーブルシースの肉厚は、前述したように１．５［ｍｍ］，１．８［ｍｍ］，２．０［ｍｍ］等、種々のものが存在する。これに対し、本実施形態では、ケーブルシースの肉厚が仮に１．５［ｍｍ］の光ケーブルＣであっても、針状部２１ｃ，３１ｃがケーブルシースを突き破って内部の芯線を損傷する恐れはない。
【００２７】
以上のように、本実施形態によれば、ケーブルシースの肉厚が薄いものから厚いものまで、各種の光ケーブルＣの芯線やケーブルシースの損傷を防止しつつ、光ケーブルＣを確実に固定可能である。
【産業上の利用可能性】
【００２８】
上述した実施形態は、本発明を光ケーブルの固定具に適用した場合のものであるが、本発明は、メタルケーブルの固定具や、光ケーブル及びメタルケーブルを備えた複合ケーブルの固定具にも適用することができる。
【符号の説明】
【００２９】
１０：ケーブルシース固定用スペーサ
１１：基片
１１ａ：ボルト挿入孔
１１ｂ，１１ｃ：通孔
１２，１３：側片
１２ａ，１３ａ：切欠き
２０：固定金具
２０ａ：上顎部
２０ｂ：下顎部
２１，３１：鬼目ボルト
２１ａ，３１ａ：ボルト本体
２１ｂ，３１ｂ：把持部
２１ｃ，３１ｃ：針状部
Ｃ：光ケーブル
【図１】
2019004123.tif 000003
【図２】
2019004123.tif 000004
【図３】
2019004123.tif 000005
【図４】
2019004123.tif 000006
【図５】
2019004123.tif 000007